(57)【特許請求の範囲】
【請求項１】
し尿系汚水処理装置における被処理汚水が発泡する処理槽において、上部に消泡剤注ぎ部を設けた逆錐形状の液体消泡剤容器と該容器の下端にフロ−トを係着し、処理槽内の水面上の適宜位置に懸吊手段で垂下させて設けたことを特徴とするし尿系汚水処理装置の消泡装置。
【請求項２】
し尿系汚水処理装置における被処理汚水が発泡する処理槽において、処理槽内の水面上の適宜位置に懸吊手段で垂下して設けられ、下端にフロ−トが係着された逆錐形状の消泡剤容器に液体消泡剤を入れ、発生した泡層の浮力でフロ−トを浮上させて前記消泡剤容器を傾斜又は転倒させ、上部の消泡剤注ぎ部から消泡剤を散布して消泡することを特徴とするし尿系汚水処理装置の消泡方法。
【発明の詳細な説明】
【０００１】
【発明の属する技術分野】
本発明は、し尿系汚水処理装置における被処理汚水が発泡する処理槽において、発生した泡を消泡する消泡装置及び消泡方法に関する。
【０００２】
【従来の技術】
従来、し尿やし尿浄化槽汚泥などのし尿系汚水（以下単にし尿という。）を処理する方法として、活性汚泥処理槽、硝化槽・脱窒槽の組み合わせ装置又は単一槽で硝化・脱窒処理する単一処理槽などの生物処理装置を使用した方法が用いられている。
【０００３】
前記し尿の処理方法では、し尿中に含有されている蛋白質、脂質及び糖類などの高分子物質に起因する発泡促進物質のために、極めて容易に発泡し、多量の泡層が形成される。特に硝化槽などのように空気で曝気処理する処理槽やガス攪拌する処理槽などでは、激しく槽内液が攪拌流動化されるため、更に激しい発泡が惹起される。
【０００４】
また、近年は、し尿処理装置の設置面積の縮小化や工業用水の不足などから、無希釈又は低希釈での高負荷処理が指向されているが、これらの処理方法では、発泡が更に激しくなるため、その対策が重要となってきている。
【０００５】
従って、従来は前記の被処理汚水が発泡する処理槽においては、シリコン系、アルコ−ル系などの消泡剤を噴霧器や滴下器などにより散布したり、大量の消泡水を噴射したり、又は人手によるバケツなどでの散布が行われ発泡の抑制や消泡が図られている。
【０００６】
【発明が解決しようとする課題】
前記被処理汚水が発泡する処理槽における消泡剤の噴霧器や滴下器などによる散布による発泡の抑制や消泡では、発泡が少なく運転に支障がない場合であっても、消泡剤を常時連続的に散布するため、薬品費が嵩むと共に、被処理汚水の性状変化や空気の曝気量などの運転条件変更、更には温度や負荷量などの変動により発泡状況が変化して、激しく発泡する場合などには対処できない場合があり、その場合などには、人手によりバケツなどで一度に多量の消泡剤を散布して対処している。また、大量の消泡水を噴射する方法では、必要以上に処理量を多くさせる結果となっている。
【０００７】
更に、前記の現象が夜間などの手薄な時間帯に発生すると、処理槽の上部に開口し、鋼製の蓋などで覆蓋されたマンホ−ルの隙間などから泡が槽外に漏洩して、悪臭を発生すると共に周囲環境を汚染する恐れがあったり、また、処理槽内のガスを吸引して消臭する脱臭装置の運転トラブルを起こす問題もあった。
【０００８】
従って本発明は、し尿系汚水処理装置における被処理汚水が発泡する処理槽において、一定の高さの泡層以上になり運転に支障を起こす恐れがある場合に、自動的に消泡剤が散布されるため、激しく発泡する場合などにも人手を掛ける必要がなく確実に対処でき、泡が槽外に漏洩して悪臭を発生すると共に周囲環境を汚染するのを防止できる消泡装置及び消泡方法を提供する目的で成されたものである。
【０００９】
【課題を解決するための手段】
前記目的を達成するための本発明の要旨は、請求項１に記載の発明においては、し尿系汚水処理装置における被処理汚水が発泡する処理槽において、上部に消泡剤注ぎ部を設けた逆錐形状の液体消泡剤容器と該容器の下端にフロ−トを係着し、処理槽内の水面上の適宜位置に懸吊手段で垂下させて設けたことを特徴とするし尿系汚水処理装置の消泡装置である。
【００１０】
また、請求項２に記載の発明においては、し尿系汚水処理装置における被処理汚水が発泡する処理槽において、処理槽内の水面上の適宜位置に懸吊手段で垂下して設けられ、下端にフロ−トが係着された逆錐形状の消泡剤容器に液体消泡剤を入れ、発生した泡層の浮力でフロ−トを浮上させて前記消泡剤容器を傾斜又は転倒させ、上部の消泡剤注ぎ部から消泡剤を散布して消泡することを特徴とするし尿系汚水処理装置の消泡方法である。
【００１１】
泡の浮力で傾斜又は転倒する消泡剤容器を、処理槽内の水面上の適宜位置に懸吊手段で垂下させて設けるだけの簡単な装置であるため、設備費が低廉であり、発生した泡層の浮力で消泡剤容器を傾斜又は転倒させて自動的に消泡剤を散布し消泡するため、人手を掛ける必要がなく確実に消泡を図ることができる。
【００１２】
【発明の実施の形態】
本発明の実施の形態を図面に基づいて説明する。図１は本発明の一実施の形態のし尿系汚水処理装置における消泡装置の概略構成図、図２の（イ）、（ロ）図は消泡剤容器部の斜視図であり、（イ）図は頂部が円弧となった逆円錐形容器、（ロ）図は錐部の一面の三角形が直角な逆三角錐形容器である。
【００１３】
１は消泡剤Ａを入れる消泡剤容器であり、泡層の浮力はあまり強くないため、傾斜又は転倒しやすいように逆錐形容器が好ましく、また、し尿は腐食作用が大きいため、消泡剤容器１を構成する材料は、木、合成樹脂又はステンレスなどが好ましい。しかし、本発明はこれらには限定されない。
【００１４】
また、消泡剤容器１を更に傾斜又は転倒しやすくするため、消泡剤容器１の底部、即ち逆錐部の頂部に図２（イ）図に示すようにフロ−ト２を係着させたり、又は図２（ロ）図に示すように空気室６を設けるのが好ましく、更に上部の開放口の一部には烏口状の消泡剤注ぎ部を設けるのが好ましい。
【００１５】
なお、フロ−ト２は、球体、矩形体又は容器状などいずれでもよく、その材質は、木、合成樹脂又はステンレスなどいずれでもよいが、合成樹脂やゴムなどの内部が空洞で空気が充填された球体が浮力や製作容易性などから好ましい。また、フロ−ト２を消泡剤容器１へ係着するには、金属棒、金属製鎖、はりがね又は合成繊維製紐などの係着部材が用いられ、固定又は可動可能に係着される。
【００１６】
３は、消泡剤容器１を処理槽内の水面上の適宜位置に配置する懸吊手段であり、金属製鎖、はりがね又は合成繊維製紐などが用いられるが、ステンレスや銅などの金属製鎖を用いるのが、腐食に強く強度もあり、また、消泡剤容器が傾斜又は転倒しやすいため好ましい。
【００１７】
４は処理槽の上面壁であり、５は上面壁に開口されたマンホ−ルの蓋である。なお、消泡剤容器１はマンホ−ルの蓋５の下面に設けられた懸吊部材から懸吊手段３により垂下されているが、処理槽の上面壁４の下面に設けられた懸吊部材からでもよく、また、処理槽の側面壁から突出した懸吊部材で垂下して設けてもよい。
【００１８】
また、前記構成の装置においては、前記消泡装置と併用し通常運転時の消泡用として、消泡剤Ａを散布する噴霧器や滴下器などの散布装置を処理槽内の水面上方に内設するのも好ましい。
【００１９】
以下に本発明の作用を図１により説明する。し尿など被処理汚水中の有機物を生物学的に酸化分解すると共にアンモニア態窒素を酸化する硝化槽などの被処理汚水が発泡する処理槽において、処理槽の上面壁に開口されたマンホ−ルの蓋５を開け、消泡剤容器１を取り出してシリコン系やアルコ−ル系などの消泡剤Ａを入れ、マンホ−ルの蓋５を閉め、懸吊手段３を介して処理槽内の水面上の適宜位置に垂下する。
【００２０】
処理槽内で発泡が惹起され、水面上に形成された泡層が一定の高さになり、フロ−ト２を包むように接触すると、泡層の浮力によりフロ−ト２が浮上され、フロ−ト２の浮上とともに消泡剤容器１の底部が上昇し傾斜状態となることにより、消泡剤Ａが消泡剤容器１内からこぼれ泡層に散布される。
【００２１】
消泡剤Ａの散布により消泡され、泡層の高さが低下してくると、フロ−ト２にかかる泡層の浮力が低下するため、消泡剤容器１は元の状態に復帰し、消泡剤Ａの散布が自動的に停止される。
【００２２】
なお、通常の被処理汚水の発泡状態においては、図示しない噴霧器や滴下器などの消泡剤の散布装置を併設し、消泡剤Ａを常時又は間欠的に散布するようにしてもよい。
【００２３】
また、処理槽内の発泡が激しい場合には、フロ−ト２の浮上が急になるため、消泡剤容器１が転倒状態となり、一度に多量の消泡剤Ａが散布され、激しく発泡して形成された泡層を速やかに消失することができる。
【００２４】
従って、夜間など手薄な時間帯に激しく発泡する場合などにも人手を掛ける必要がなく確実に対処でき、泡が槽外に漏洩して、悪臭を発生すると共に周囲環境を汚染することなどが防止される。
【００２５】
【発明の効果】
本発明は、し尿系汚水処理装置における被処理汚水が発泡する処理槽において、一定の高さの泡層以上になり運転に支障を起こす恐れがある場合に、自動的に消泡剤が散布されるため、激しく発泡する場合などにも人手を掛ける必要がなく確実に対処でき、泡が槽外に漏洩して、悪臭を発生すると共に周囲環境を汚染することが防止できる消泡装置及び消泡方法である。
【図面の簡単な説明】
【図１】本発明の一実施の形態のし尿系汚水処理装置における消泡装置の概略構成図
【図２】本発明の一実施の形態の消泡剤容器の斜視図
【符号の説明】
１：消泡剤容器
２：フロ−ト
３：懸吊手段
４：処理槽の上面壁
５：マンホ−ルの蓋
６：空気室
【図１】
0003856264.tif 000002
【図２】
0003856264.tif 000003